(57)【特許請求の範囲】
【請求項１】
取付け枠（１）に軟質プラスチック、ゴム等で作った筒状の可撓部（２）を取付け、その筒に浮子（３）を取付けた逆流防止装置であって、下流側の水位に従って動く浮子（３）に依って筒を上下する構造により上流側の水位が下流側より高ければ水流に依って浮子（３）は押し沈められ流路が拡大して流れ、上流側の水位が下流側より低くなった時は、上下流の水を区分した状態となることにより逆流が阻止されることを特徴とする逆流防止装置。
【請求項２】
硬質プラスッチク片や木片（５）をモザイク状に並べシャフトや鎖等（６）でそれ等を繋いで作った消波装置を付けた請求項２記載の逆流防止装置。
【請求項３】
浮子にコの字型の開口部を下に向けて作った樋状の外郭（８）の中に多数のゴム製等の枕状の空気袋（８）を入れ、下流側の波の高さに応じて空気袋の中の空気量を増減して浮子が波高よりも高く浮き上がる様にした浮子を設けた請求項２記載の逆流防止装置。
【請求項４】
浮子の上流側に水面を挟んで上下に亘って斜めに迫り上げ棒（１０）を設けた請求項１、記載の逆流防止装置。
【発明の詳細な説明】
【０００１】
【発明の属する技術分野】
本発明は、例えば、河口の水門等に本装置を設ければ、水門の下流側の水位が上流側の水位よりも低ければ水流に依って浮子が押し沈められて放流し、逆に下流側の水位が上流側の水位より高ければ浮子が水面上に僅かに顔を出し逆流を阻止する、又同じ原理で取水口等においても同様な働きをする。
【０００２】
【従来の技術】
従来は、例えば、水門では上流と下流の水位差を見て、時間を設定して樋門を揚げ下ろしして放流するか、下流の水位より高い位置に堰版を設定して置いて堰板を越流させて放流していた。
【０００３】
【発明が解決しようとする課題】
放流口とか取水口は規模の多様性とか方々に多数点在し、人の常駐運転管理とか自動制御の設置管理が難しい場合が多く、また動力源の無い場合が多い、例えば水田の取水口の管理等では、最近一人当たりの作付け規模の拡大で人手が足りず取水口の管理が行き詰まっている、従っている、従って一般には無人で全自動運転ができ無動力で（請求項４の施設で補助的に動力を使う場合を除き）構造が簡単で設置が安価に出来る逆流防止装置が要求されている。
【０００４】
【問題を解決するための手段】
上記諸問題を解決するために本発明では取付け枠（１）に軟質プラスチック、ゴム等でつくった可撓性のある筒（２）を取付けその下流側に、浮子（３）を取付ける、そして下流側の水位に従って動く浮子に依って筒の下流側を上下すると言うシンプルな構造で逆流を阻止する、即ち上流側の水位が下流側の水位より高ければ水流に依って浮子は押し沈められ流路が拡大して流れる、又上下流の水位が等しくなり水流が止まった瞬間浮子は水面上に浮上して来て顔を出し下流側水位より僅かに高い位置を確保して上流側と下流側の水を区分する、上流側の水位が下流側より低くなった時は、上下流の水を区分した状態をそのまま維持するので逆流が阻止される、依って全自動で無動力（請求項４の施設で補助的に動力を使う場合を除き）で逆流防止ができる。
【０００５】
上記の浮子は順方向の水流に依って押し沈められ流路を大きくする事が要求されるため浮力は余り大きくなく水流が停止した時とか逆流可能状態になったときに僅かに水面上に顔を出し逆流を阻止する程度の浮力とする。
【０００６】
可撓部は僅かな水流でも沈みこむ様に動き水路を大きくする事が要求されるが一方で逆流圧を受けた時余り大きく逆流方向に引き込まれると、その力が浮子を沈め込もうとするので、可撓部は余り引き込まれ無い長さで、且つ、適当なしなりがえられる材質と厚さに調整する。
【０００７】
逆流阻止時に浮子上端は下流水面より僅かしか浮上していないため波浪があると逆流する可能性が生じる、従って浮子下流に流路だけ確保して離して防波ブロックを設ける、ブロックは木や硬質プラスチック製等でモザイク状に配置し防食性のシャフトや鎖等で波のエネルギーを吸収する。
【０００８】
更に上記より高い波浪に対しては空気袋を多数有する浮子（７）にして波高を検出する装置を設け、水流が停止した時点で浮子の空気袋（８）内に空気を圧送して波浪に耐えるだけの高さに浮子を浮上させる、又流下出来るような上下流側の水位差になったなら浮子内の空気量を減じ流路を拡大出来るようにする為浮力を調整する。
【０００９】
可撓部の筒に逆流圧が作用した場合筒体は上流側に引き込まれ様とする、その力で浮子は上流側に移動すると共に引き沈められる力を受けるこれに対抗する為に上流に向かって斜め上方に向かう迫り上げ棒を浮子の両端付近に設け浮子が上流側に移動した時その棒に乗り浮子に迫り上がって行く力を与え沈み込みを防ぐ。
【００１０】
【発明の実施の形態】
木製で取付け枠を作り、それに軟質のプラスッチク製の筒（厚手のプラスチック製の袋の底を切って筒状にした物）を取付け下流側に浮子（木片をプラスチックフイルムで包み接着剤を十分に塗布して耐水性にする）を取付ける、例えば一般水田の取水口用では筒の大きさは２００Ｘ２２０位で筒の長さは３００、筒の肉厚は軟質ビニール製の筒で０．１〜０．４、浮子は４０Ｘ２３Ｘ３７０（単位ｍｍ）位が適当である。
【００１１】
可撓部は大型になると耐久性と可撓性の問題から蛇腹状の壁の付いた形状にすると良い。
【００１２】
更に可撓部の強度と耐久性としなり力を増すために軟質プラスチックやゴム等の中に鋼鉄線、ステンレス線、グラスファイバーやナイロン糸等の補強材を縦横左右斜め等に入れると良い。
【００１３】
可撓部に浮子を筒内に僅かに突出させその先端から上流に向けて筒内に傾斜の肉盛付けを付し僅かな浮量で逆流を防止すると共に順流に対しては抵抗を減じ、又水流に依る浮子の沈み込み力を増大させる。
【００１４】
消波ブロックは浮子の周囲に水流路の幅だけ空けて設け木や硬質プラスチック等をモザイク状に配置して作るブロック（５）の個々の大きさは予想最大波高に合わせて長さは波高の２倍、幅及び厚さは０．４、０．３倍程度の大きさで数段モザイク状に並べシャフトや鎖で繋ぐと良い。
【００１５】
浮子を空気袋（８）を数個設ける場合は各袋に個別の送気管を設け浮子に傾斜が生じた場合は之を検出し空気量を調整して修正するようにする。
【００１６】
浮子の上流に迫り上げ棒（１０）を設ける場合、迫り上がった浮子に順方向水流の力が加わった時その重力方向の分力で浮子が迫り上げ棒に引掛かる恐れがあるので浮子側の接触面は半円弧状の滑りの良いものにするか又は大型では車輪をつけると良い。
【００１７】
本願発明は第７図、第８図の様に用いることができる。水田の取水口に取り付けた例であるが、上流側の水位が下流側の水位より高い時は水流に依って浮子が押し沈められ流路が拡大して流れ上下の水位が等しくなった時浮子が浮上し水面より高い位置を確保し上下流の水を区分し上流側の水位の方が低くなれば区分した状態を維持したままなので逆流が阻止される。
【００１８】
本装置は水路ばかりでなく種々の液体、比重の大きな気体や粉体等の各種流体にも応用出来る、又規模も大きな河口水門から小は実験室での小型の試験装置内組み込まれるものまで応用できる。
【００１９】
【発明の効果】
本発明は以上説明した様に構成されているので、無人で全自動で無動力（但し請求項４の対高波浪用に使用するものは逆流止め中の高波浪時に限り波高検出装置及び調整設定機構並びに空気圧送機構を要する。）なのでいろんな場所に広範囲にしかも容易に設置できる。
【００２０】
更に構造がシンプルで保守調整が殆ど不要で故障も起こり難く、従ってイニシャルコストもランニングコストも非常に低廉にできる。
【００２１】
また開閉機構が不要のため、磨耗部分や漏水の恐れのある箇所が無く僅かな水位差でも流下し逆流は漏水の無い完全な止水が出来る。
【図面の簡単な説明】
【図１】  逆流防止装置の立面図である。
【図２】  逆流防止装置の平面図である。
【図３】  波防装置の平面図である。
【図４】  枕状の空気袋を有する浮子の平面図である。
【図５】  枕状の空気袋を有する浮子の断面図である。
【図６】  迫り上げ棒を設けた逆流防止装置の立面図である。
【図７】  順流通水時の実施側面図である。
【図８】  逆流阻止時の実施側面図である。
【符号の説明】
１        取付け枠
２        可撓部
３        浮子
４        筒状の硬質部
５        防波ブロック
６        シャフト及び鎖
７        空気袋を有する浮子
８        浮子の空気袋
９        空気袋を有する浮子のコ型状の外郭
１０        迫り上げ棒
【図１】
0004385175.tif 000002
【図２】
0004385175.tif 000003
【図３】
0004385175.tif 000004
【図４】
0004385175.tif 000005
【図５】
0004385175.tif 000006
【図６】
0004385175.tif 000007
【図７】
0004385175.tif 000008
【図８】
0004385175.tif 000009